(57)【要約】【課題】本発明は、天敵生物を局所的に誘引する又は定着させる技術を提供すること、及び天敵生物を局所的に誘引し、又は定着させた上で、天敵生物が死滅させることのできる害虫を効果的に除去する手段を提供することを目的とする。【解決手段】本発明は、天敵生物を誘引する又は定着させることが望まれる位置から５０ｃｍ以内に光源を設置し、光源から光を照射する工程を含む、天敵生物の誘引又は定着方法を提供する。本発明はまた、当該方法を用いた害虫の除去方法を提供する。さらに本発明は、前述した方法を実行するための天敵生物の誘引用又は定着用の装置を提供する。【選択図】なし【特許請求の範囲】
【請求項１】
天敵生物を誘引する又は定着させることが望まれる位置から５０ｃｍ以内に光源を設置し、光源から光を照射する工程を含む、天敵生物の誘引又は定着方法。
【請求項２】
光源を設置する位置が、天敵生物を誘引する又は定着させることが望まれる位置から１０ｃｍ以内である、請求項１に記載の方法。
【請求項３】
天敵生物を誘引する又は定着させることが望まれる位置が、農産物の表面である、請求項１又は２に記載の方法。
【請求項４】
前記農産物が花である、請求項３に記載の方法。
【請求項５】
光源が発光ダイオードである、請求項１〜４のいずれか１項に記載の方法。
【請求項６】
光源から照射する光が紫色光である、請求項１〜５のいずれか１項に記載の方法。
【請求項７】
紫色光が、３８５〜４２５ｎｍ又は４０５ｎｍの波長の光である、請求項６に記載の方法。
【請求項８】
天敵生物が捕食性昆虫である、請求項１〜７のいずれか１項に記載の方法。
【請求項９】
捕食性昆虫が捕食性カメムシである、請求項１〜８のいずれか１項に記載の方法。
【請求項１０】
捕食性カメムシが、ナミヒメハナカメムシ、タイリクヒメハナカメムシ、コヒメハナカメムシ、ツヤヒメハナカメムシ又はミナミヒメハナカメムシである、請求項９に記載の方法。
【請求項１１】
請求項１〜１０のいずれか１項に記載の方法を用いて天敵生物を誘引する又は定着させる工程を含む、害虫の除去方法。
【請求項１２】
害虫が、農産物に対する害虫である、請求項１１に記載の方法。
【請求項１３】
請求項１〜１２のいずれか１項に記載の方法を実行するための天敵生物の誘引用又は定着用装置であって、１個又は複数個の光源を備えており、当該光源は、当該光源を植物体に近接して設置可能なロープ状又はロッド状の部材に取り付けられていることを特徴とする、前記装置。
【請求項１４】
害虫の除去用装置として使用できる、請求項１３に記載の装置。
【発明の詳細な説明】
【技術分野】
【０００１】
本発明は、天敵生物の局所的な誘引又は定着方法、当該方法を用いた害虫の除去方法、及び天敵生物の誘引用又は定着用の装置に関する。より詳細には、本発明は、所定の位置に光源を設置し、光源から光を照射することを特徴とする天敵生物の局所的な誘引又は定着方法、当該方法を用いた害虫の除去方法、及びこれらの方法を実行するための天敵生物の誘引用又は定着用の装置に関する。
【背景技術】
【０００２】
畑や施設などの野菜栽培の現場では、殺虫剤（化学農薬）に対する害虫の抵抗性が高まっていることが大きな問題となっている。殺虫剤の抵抗性は、カリフォルニアのナシマルカイガラムシが殺虫成分である石灰硫黄合剤に対して抵抗性を示したという１９１４年の報告から始まり、現在では既に１万件を超える事例が報告されている。このような薬剤抵抗性に関する問題は年々増加しており、縮小する見込みは立っていない。害虫の中でも特にアザミウマやコナジラミ、アブラムシなどの微小害虫は、世代交代が早いために薬剤抵抗性の発達も早く、化学農薬を新規開発してもすぐに効かなくなってしまう傾向にある。
【０００３】
そこで最近では、薬剤抵抗性を示す害虫に対して、化学農薬に代えて生物農薬が使用され始めている。生物農薬には、害虫に対する天敵生物が主に用いられている。天敵生物は害虫を捕食するため、それにより害虫の被害を抑制することができる。天敵生物を利用した生物農薬は、化学物質を使用しないため薬剤抵抗性に左右されずに効果を発揮できるという面と、農産物に対して残留農薬の心配がないという両面でメリットがある。
【０００４】
天敵生物を利用した生物農薬としては、ナミテントウＨａｒｍｏｎｉａ  ａｘｙｒｉｄｉｓ  Ｐａｌｌａｓをはじめとして日本国内では既に４０種類以上が農薬登録されている。このように多種にわたって天敵生物を利用することはできるが、天敵生物の導入が環境に与える影響は考慮しなければならない。本来そこには生息しない生物を新たに導入することが、のちに環境にどのような影響を与えるかはわからない。この点から、元々その場に生息している土着天敵を利用しようとする試みや、日本全域に生息している天敵生物を用いた環境変化に影響を及ぼしにくい生物農薬の利用などが行われている。
【０００５】
天敵生物を利用する場合は、目的とする農産物に対していかに天敵生物を誘引し、定着させるかが重要となる。従来は、害虫防除を行う農産物の近辺に、天敵生物を飼育及び維持するためのバンカープランツ（バンカー植物）が栽培され、バンカープランツから天敵生物を移動させるというバンカー法が利用されている。しかしながら、バンカー法ではバンカープランツと目的の農産物とを同時に栽培させる必要があり、手間と栽培場所確保との観点から必ずしも効果的な方法であるとはいえない。また、期待通りに天敵生物が目的の農産物に移動しない場合も少なくない。そのような場合は、天敵生物が繁茂したバンカープランツの植物体を刈り取り、目的の農産物の上に吊るすといった手段もとられている。天敵生物が繁茂した植物体を上部に吊るすのは天敵生物の移行に少なからず効果的ではあるが、多大な労力を要し、作業者の負担を増大させることになる。そのため、より簡便で効果的な天敵生物の誘引又は定着方法は、害虫防除を行う上で強く求められているのが現状である。
【先行技術文献】
【特許文献】
【０００６】
【特許文献１】国際公開第２０１７／０２２３３３号
【発明の概要】
【発明が解決しようとする課題】
【０００７】
天敵生物（特に、捕食性昆虫）の農産物への誘引又は定着に関して、本発明者らはこれまでの研究結果から特定の可視光線の照射を利用する方法を見出しており、既に特許出願を行っている（特許文献１）。当該方法により天敵生物を農産物に移行させ、定着させることの効果は得られているが、より効果的に天敵生物の誘引又は定着を行う技術も必要とされている。特に、農産物において害虫は局所的に発生することが多く、害虫の発生場所に集中して天敵生物を誘引する又は定着させることが求められている。
【０００８】
そこで、本発明は、天敵生物を局所的に誘引する又は定着させる技術を提供することを目的とする。また、本発明は、天敵生物を局所的に誘引し、又は定着させた上で、天敵生物が死滅させることのできる害虫を効果的に除去する手段を提供することを目的とする。
【課題を解決しようとする手段】
【０００９】
本発明者らは、天敵生物の効果的な誘引又は定着について研究を継続していた中で、天敵生物が集中する光源からの距離に着目した。そして、鋭意検討を行った結果、従来は農産物の圃場に対して全体的に光照射を行っていたのに対し、光を照射する光源を目的位置の付近に設置することが局所的な天敵生物の誘引又は定着に効果的であることを見出した。かかる知見に基づき、本発明者らは、本発明を完成するに至った。
【００１０】
本発明は、好ましくは以下に記載するような態様により行われるが、これに限定されるものではない。
［態様１］天敵生物を誘引する又は定着させることが望まれる位置から５０ｃｍ以内に光源を設置し、光源から光を照射する工程を含む、天敵生物の誘引又は定着方法。
［態様２］光源を設置する位置が、天敵生物を誘引する又は定着させることが望まれる位置から１０ｃｍ以内である、態様１に記載の方法。
［態様３］天敵生物を誘引する又は定着させることが望まれる位置が、農産物の表面である、態様１又は２に記載の方法。
［態様４］前記農産物が花である、態様３に記載の方法。
［態様５］光源が発光ダイオードである、態様１〜４のいずれか１に記載の方法。
［態様６］光源から照射する光が紫色光である、態様１〜５のいずれか１に記載の方法。
［態様７］紫色光が、３８５〜４２５ｎｍ又は４０５ｎｍの波長の光である、態様６に記載の方法。
［態様８］天敵生物が捕食性昆虫である、態様１〜７のいずれか１に記載の方法。
［態様９］捕食性昆虫が捕食性カメムシである、態様１〜８のいずれか１に記載の方法。
［態様１０］捕食性カメムシが、ナミヒメハナカメムシ、タイリクヒメハナカメムシ、コヒメハナカメムシ、ツヤヒメハナカメムシ又はミナミヒメハナカメムシである、態様９に記載の方法。
［態様１１］態様１〜１０のいずれか１に記載の方法を用いて天敵生物を誘引する又は定着させる工程を含む、害虫の除去方法。
［態様１２］害虫が、農産物に対する害虫である、態様１１に記載の方法。
［態様１３］態様１〜１２のいずれか１に記載の方法を実行するための天敵生物の誘引用又は定着用装置であって、１個又は複数個の光源を備えており、当該光源は、当該光源を植物体に近接して設置可能なロープ状又はロッド状の部材に取り付けられていることを特徴とする、前記装置。
［態様１４］害虫の除去用装置として使用できる、態様１３に記載の装置。
【発明の効果】
【００１１】
本発明によれば、天敵生物の局所的な誘引又は定着を効果的に行うことができる。また、それによって天敵生物が死滅させることのできる害虫を効果的に除去することもできる。害虫を除去することにより農産物を効率よく生育させることができ、この点で本発明は、持続的な農業生産に資することができる。
【図面の簡単な説明】
【００１２】
【図１】図１は、天敵生物の誘引又は定着を行う方法を例示する図である。
【図２】図２は、供試昆虫の誘引又は定着を調べるための実験装置を示す図である。
【図３】図３は、ヒメハナカメムシとタバコカスミカメの誘引率を示す図である。グラフの縦軸は各昆虫の誘引率（％）を示し、グラフの横軸は光源からの距離（ｃｍ）を示す。
【発明を実施するための形態】
【００１３】
（１）天敵生物の誘引又は定着方法
本発明は、天敵生物の誘引又は定着方法を提供するものであり、具体的には、天敵生物を誘引する又は定着させることが望まれる位置から５０ｃｍ以内に光源を設置し、光源から光を照射する工程を含む、天敵生物の誘引又は定着方法を提供する。
【００１４】
本発明において天敵生物とは、対象となる害虫を死滅させる能力を有する生物を意味する。害虫を死滅させる手段は特に限定されず、捕食であってもよいし、或いは寄生であってもよい。
【００１５】
本発明において天敵生物の誘引とは、当初目的とする位置には存在していなかった天敵生物を、その周囲から誘い寄せることを意味する。天敵生物を誘引する時間や程度は特に限定されず、状況に応じて設定した時間内に最終的に目的とする位置に天敵生物が存在していればよく、また天敵生物は少なくとも一個体が当該目的の位置に存在していれば誘引された状態であるといえる。天敵生物を誘引する時間としては、例えば、３０分以内、４５分以内、１時間以内、２時間以内、３時間以内、５時間以内、１０時間以内、１２時間以内、１日以内、２日以内、３日以内、５日以内、１０日以内が挙げられる。
【００１６】
また、天敵生物の定着とは、目的の位置に存在している天敵生物を当該位置に一定時間滞在させることを意味する。天敵生物を滞在させる時間は特に限定されないが、例えば、１分以上、２分以上、３分以上、５分以上、１０分以上、１５分以上、２０分以上、３０分以上、４５分以上、１時間以上、２時間以上、３時間以上、５時間以上、１０時間以上、１２時間以上、１日以上、２日以上、３日以上、５日以上、１０日以上がその滞在時間として挙げられる。
【００１７】
本発明の方法では、天敵生物を誘引する又は定着させることが望まれる位置から５０ｃｍ以内に光源が設置される。当該範囲内の距離に光源が設置されることにより、効果的に天敵生物を目的位置に誘引する又は定着させることができる。光源が設置される距離は、天敵生物を誘引する又は定着させることが望まれる位置に対して、好ましくは４０ｃｍ以内又は２０ｃｍ以内、より好ましくは１０ｃｍ以内又は７ｃｍ以内、さらに好ましくは５ｃｍ以内又は３ｃｍ以内である。当該距離の下限値は特に限定されるものではないが、例えば、１ｍｍ以上、５ｍｍ以上、又は１ｃｍ以上である。
【００１８】
また、本発明の方法では、天敵生物を誘引する又は定着させることが望まれる位置に向けて光源から光を照射してもよい。光源が向けられる方向は、天敵生物の誘引又は定着を行う位置に光が照射される限り特に限定されない。光源の形態にもよるが、例えば、光源と目的位置とを結んだ直線に対して６０度以内、或いは４５度以内の角度の方向に光源を向ければ、目的位置に光を照射することができる。
【００１９】
本発明において、天敵生物を誘引する又は定着させることが望まれる位置は、好ましくは農産物の表面である。ここで、本明細書において農産物とは、農業により得られる生産物を意味し、農作物の用語と互換可能に用いることができる。また、前記農産物には、果実等の食用に関する部分のみならず、花、葉、茎、枝、幹又は種子等の地上部に露出している部分全てが包含されることを意図する。これらのうち本発明では、害虫が集中しやすいという観点から、天敵生物の誘引又は定着を行う農産物としては花又は葉が最も好ましい。
【００２０】
本発明で対象とされる農産物の種類は、例えば、野菜、穀物、果物、花卉、及び豆類等が挙げられるが、特にこれらに限定されない。また、その具体例としては、ニンジン、キュウリ、ダイコン、カボチャ、ナス、トマト、キャベツ、ジャガイモ、ハクサイ、シュンギク、コマツナ、ピーマン、ネギ、タマネギ、レタス、ショウガ、ニンニク、キノコ類（シイタケなど）、タケノコ、コメ、ムギ、トウモロコシ、キク、チューリップ、バラ、ダイズ、ゴマ、ラッカセイ等が挙げられるが、特にこれらに限定されない。
【００２１】
本発明で照射される光の強度は特に限定されるものでなく、天敵生物の誘引又は定着を行う状況に応じて適宜設定することができる。例えば、光強度を光量子束密度で表した場合、１×１０１４〜１×１０２０ｐｈｏｔｏｎｓ・ｍ−２・ｓ−１であり、好ましくは１×１０１５〜１×１０１９ｐｈｏｔｏｎｓ・ｍ−２・ｓ−１、より好ましくは１×１０１６〜１×１０１８ｐｈｏｔｏｎｓ・ｍ−２・ｓ−１である。光強度の設定は、光照射用装置を用いた場合であれば当該装置の発光出力を適宜調節することにより行うことができ、またその測定は、自体公知の光強度測定器（例えば、既に市販されている測定器）を用いて行うことができる。
【００２２】
本発明で用いられる光源は、光照射ができる限り特に限定されず、例えば、発光ダイオード、蛍光灯、白熱電球等が挙げられる。これらの中では、天敵生物の誘引又は定着効率や省エネルギー等の観点から発光ダイオードを使用することが好ましい。また、発光ダイオードの使用は、少量の使用電力から発熱を抑えることができ、それによって、誘引され又は定着した天敵生物の死滅を防ぐこともできる点で好ましい。発光ダイオードを用いる場合、複数個（例えば、数個〜数十個）の発光素子（ＬＥＤ素子）を照明装置に装着させて光照射を行うことができる。光源から光照射を行うための電源は、特に限定されないが、乾電池、リチウム電池、太陽電池等を利用することができる。本発明においては、目的位置から５０ｃｍ以下の距離に光源を設置させるという観点から、光源を備える装置は充電式装置であることが好ましく、さらには、充電式で、且つ携帯可能な装置であることがより好ましい。
【００２３】
光源からの光照射は、直射光として照射してもよく、或いは散乱光（拡散光）として照射してもよい。直射光や散乱光には、レンズやリング等の自体公知の治具を用いて、例えばこれを光源近傍に取り付けることにより調整することができる。直射光は、所定の照射位置に集中照射させることができ、その照射範囲は特に限定されず、光照射を行う状況に応じて適宜設定することができる。散乱光に関しては、広い範囲で光照射を行うことができるが、その照射範囲も特に限定されず、使用状況に応じて適宜設定することができる。
【００２４】
本発明における光源からの照射光は、好ましくは紫色光である。本発明において紫色光は、可視光線の一部であって、ヒトの視覚において紫色に該当する範囲の可視光線をいう。紫色光は、３８０〜４５０ｎｍの波長を有する可視光線であり、好ましくは３８５〜４２５ｎｍの波長、より好ましくは３９５〜４１５ｎｍの波長、最も好ましくは４０５ｎｍの波長の光である。
【００２５】
本発明の方法で誘引する又は定着させる天敵生物は、既にその土地において生息しているもの（即ち、土着生物）であってもよいし、市販されている生物農薬（天敵製剤）を放飼したものであってもよい。或いは、予め天敵生物を捕集しておき、農産物を栽培する圃場にそれらを放出して利用してもよい。
【００２６】
天敵生物の人為的放出を行う場合は、即ち、本発明の方法は、捕集した天敵生物を放出する工程をさらに含む、とすることができる。捕集した天敵生物としては、上述した通り生物農薬（天敵製剤）であってもよい。天敵生物の放出は、光源から光を照射する前、又は照射している間に行うことができる。光照射を行う前であれば、１時間前、２時間前、３時間前、５時間前、１０時間前、１２時間前、１８時間前、１日前、２日前、３日前、５日前、１０日前、１４日前、１５日前、２１日前、１ヶ月前、２ヶ月前、３ヶ月前、又は６ヶ月前に天敵生物の放出を行うことができる。
【００２７】
捕集した天敵生物の放出は、対象とする農産物に直接行ってもよいし、当該農産物から離れた位置で行ってもよい。対象農産物から離れた位置で天敵生物を放出する場合は、当該農産物の付近に、天敵生物を飼育又は維持するためのバンカー植物を栽培することが好ましい。そのため、本発明の方法は、バンカー植物を栽培する工程をさらに含むことができる。バンカー植物としては、例えば、マリーゴールド、オクラ、バジル、ソバ、ハゼリソウ、クレオメ等が挙げられる。また、バンカー植物を栽培する位置は、特に限定されないが、対象とする農産物から３０ｍ以内、２０ｍ以内、１５ｍ以内、１０ｍ以内、７ｍ以内、５ｍ以内、３ｍ以内、又は１ｍ以内の距離の位置とすることができる。なお、バンカー植物にて飼育又は維持する天敵生物は、捕集した天敵生物に限らず、既にその土地において生息しているもの（即ち、土着生物）であってもよい。
【００２８】
本発明の方法で誘引する又は定着させる天敵生物は、好ましくは捕食性昆虫である。捕食性昆虫は、他の昆虫個体を捕食する昆虫であれば特に限定されない。成体となった昆虫が他の昆虫個体を捕食するものであってもよいし、幼虫が宿主昆虫に寄生しながら宿主昆虫の体を捕食するもの（即ち、捕食寄生性を示すもの）であってもよい。本発明における好適な捕食性昆虫としては、例えば、捕食性カメムシ（例えば、ヒメハナカメムシ等）やヤドリバエ等が挙げられる。特にこれらの捕食性昆虫は、紫色光を用いた場合に効果的に誘引されるという観点で好ましい。
【００２９】
ヒメハナカメムシの種類は特に限定されず、防除すべき害虫の種類等から適宜選択することができる。ヒメハナカメムシの種類としては、例えば、ナミヒメハナカメムシ（Ｏｒｉｕｓ  ｓａｕｔｅｒｉ（Ｐｏｐｐｉｕｓ））、タイリクヒメハナカメムシ（Ｏ．  ｓｔｒｉｇｉｃｏｌｌｉｓ（Ｐｏｐｐｉｕｓ））、コヒメハナカメムシ（Ｏ．  ｍｉｎｕｔｕｓ（Ｌｉｎｎａｅｕｓ））、ツヤヒメハナカメムシ（Ｏ．  ｎａｇａｉｉ  Ｙａｓｕｎａｇａ）、ミナミヒメハナカメムシ（Ｏ．  ｔａｎｔｉｌｌｕｓ（Ｍｏｔｓｃｈｕｌｓｋｙ））、タバコカスミカメ（Ｎｅｓｉｄｉｏｃｏｒｉｓ  ｔｅｎｕｉｓ（Ｒｅｕｔｅｒ））等が挙げられる。これらの例示の中で、本発明では、ナミヒメハナカメムシを誘引又は定着の対象とすることが好ましい。
【００３０】
誘引又は定着を行う捕食性カメムシは、雄であってもよいし、雌であってもよい。また、未交尾状態の捕食性カメムシであってもよいし、交尾済みの捕食性カメムシであってもよい。本発明では、特に限定されないが、未交尾状態の捕食性カメムシが好ましく、特に未交尾状態の捕食性カメムシの雌が好ましい。
【００３１】
ヤドリバエの種類は特に限定されず、防除すべき害虫の種類等から適宜選択することができる。ヤドリバエの種類としては、例えば、ブランコヤドリバエ（Ｅｘｏｒｉｓｔａ  ｊａｐｏｎｉｃａ）、ヨトウクロヤドリバエ、マメコガネヤドリバエ、マガタマハリバエ、エゾシロヤドリバエ、トガリハリバエ、ミノムシヤドリバエ、カイコノウジバエ等が挙げられる。これらの例示の中で、本発明では、ブランコヤドリバエを誘引又は定着の対象とすることが好ましい。
【００３２】
誘引又は定着を行うヤドリバエは、雄であってもよいし、雌であってもよい。また、未交尾状態のヤドリバエであってもよいし、交尾済みのヤドリバエであってもよい。本発明では、特に限定されないが、交尾済みのヤドリバエが好ましく、特に交尾済みのヤドリバエの雄が好ましい。
【００３３】
本発明において、天敵生物の誘引又は定着を行うことにより防除する害虫は特に限定されないが、農産物を保護する観点から農産物に対する害虫（即ち、農産物に傷害を与える害虫）であることが好ましい。農産物における傷害は、果実等の食用に関する部分が直接的に傷害を受けるものであってもよいし、食用に関する部分が直接的に傷害を受けずとも、その他の部分が傷害を受けることにより農産物の生育自体が阻害されるものであってもよい。
【００３４】
防除の対象となる害虫は微小害虫であることが好ましいが、特にこれに限定されない。微小害虫の種類としては、天敵生物が捕食可能であれば如何なる微小害虫であってもよい。微小害虫の具体例としては、アザミウマ、アブラムシ、ハダニ、又はアワヨトウ、オオタバコガ、若しくはモンクロシャチホコ等の鱗翅目（チョウ目）の昆虫等が挙げられるが、特にこれらに限定されない。なお、本発明における害虫は、幼虫であってもよいし、成虫であってもよい。
【００３５】
本発明において天敵生物の誘引又は定着を行う一つの態様としては、１個又は複数個の光源をロープ状の部材に取り付けた装置を用いて、天敵生物を誘引する又は定着させることが望まれる位置から５０ｃｍ以下の距離に光源が設置されるよう植物体の近傍に当該装置を設置することが挙げられる。複数個の光源が用いられる場合、当該光源は一定間隔で取り付けられてもよいし、不規則な間隔で取り付けられてもよく、目的とする植物体の種類等に応じて適宜調整することができる。また、光源が取り付けられる間隔の長さも、植物体の種類等に応じて適宜設定することができる。なお、本明細書において植物体とは、農産物を含んだ植物個体、或いは将来的に農産物が得られる植物個体を意味する。また、本明細書において植物体の近傍とは、植物体から遠く離れることはなく、植物体に対して近い位置に存在することを意図する。植物体からの距離は、例えば５０ｃｍ以下、好ましくは４０ｃｍ以下、より好ましくは３０ｃｍ以下とすることができるが、特にこれらに限定されない。ロープ状の部材に関しては、いかなる素材を利用してもよく、例えばポリ塩化ビニル等の高分子（ポリマー）を用いることができる。また、ロープ状の部材は、柔軟性を有するものが好ましい。
【００３６】
また、本発明における別の態様としては、１個又は複数個の光源をロッド状の部材に取り付けた装置を用いて、天敵生物を誘引する又は定着させることが望まれる位置から５０ｃｍ以下の距離に光源が設置されるよう植物体の近傍に当該装置を設置することが挙げられる。このとき、ロッド状の部材に取り付けられる光源の位置は特に限定されず、当該部材の端部及び中央部等のいかなる位置であってもよく、天敵生物の誘引又は定着を行う位置に応じて適宜設定することができる。例えば、害虫が集まる花が植物体の上部に位置する場合は、当該部材の端部に光源を取り付け、光源が花の上部に位置するよう植物体の近傍に当該部材を含む装置を設置して、対象とする花の上から光が照射できるようにすることができる。なお、花等の農産物の上から光を照射する場合は、ロッド状のみならず、ロープ状等の別の部材も利用して、部材に取り付けた光源を当該農産物の上部に位置させることができる（例えば、植物体の上部に部材を設置して光源を垂らすことができる）。
【００３７】
また、本発明における更なる別の態様としては、アクリル樹脂などの透明素材で構成される支柱を利用して、当該支柱の端点に光源を配置して支柱自体から光を照射させて天敵生物を目的位置に誘引する又は定着させることが挙げられる。このときは、光を照射する支柱自体が光源となり得る。このような支柱を植物体の近傍に位置させることにより、本発明の効果を発揮することができる。
【００３８】
本発明において光源から照射される光は、点灯式の光であってもよいし、点滅式の光であってもよい。省エネルギーの観点からは、点滅式の光の方が好ましい。光が点滅する時間間隔は、特に限定されず、例えば１秒以上、２秒以上、３秒以上、５秒以上、又は１０秒以上に設定することができる。また、当該時間間隔の上限としては、例えば、１分以下、５０秒以下、４０秒以下、又は３０秒以下とすることができるが、特にこれらに限定されない。
【００３９】
（２）害虫の除去方法
本発明はまた、上記（１）に記載の天敵生物の誘引又は定着方法を利用した害虫の除去方法も提供する。本発明の害虫の除去方法は、上記（１）で説明した方法を用いて天敵生物を誘引する又は定着させる工程を含むことを特徴とする。上記（１）に記載の方法を利用することから、本発明の害虫の除去方法では、定義及び用語等のあらゆる関連事項は上記で説明した内容に全て準じることができる。
【００４０】
（３）天敵生物の誘引用又は定着用装置
本発明はまた、上述した内容に基づき、天敵生物の誘引用又は定着用装置も提供する。本発明の装置は、上記（１）及び（２）に記載の方法を実行するための装置であって、１個又は複数個の光源を備えており、当該光源は、当該光源を植物体に近接して設置可能なロープ状又はロッド状の部材に取り付けられていることを特徴とする。本発明の装置は、上記（１）及び（２）に記載の方法を実行するために用いられることから、定義及び用語等のあらゆる関連事項は上記に説明した内容に全て準じることができる。
【００４１】
本発明の天敵生物の誘引用又は定着用装置は、害虫の除去用装置として使用されてもよい。このとき、本発明の装置は、害虫の除去用装置と称することもできる。害虫の除去用装置においても、定義及び用語等のあらゆる関連事項は上記に説明した内容に全て準じることができる。
【実施例】
【００４２】
以下、実施例によって本発明を具体的に説明するが、これらは本発明の技術的範囲を限定するためのものではない。当業者は本明細書の記載に基づいて容易に本発明に修飾及び変更を加えることができ、それらも本発明の技術的範囲に含まれる。
【００４３】
供試昆虫として、ナミヒメハナカメムシ（Orius sauteri）とタバコカスミカメ（Nesidiocoris tenuis）とを使用した。
【００４４】
それぞれ５０頭の供試昆虫を捕獲し、５０ｍｌチューブ（BD FalconTM tube, BD Biosciences, MA, USA）に移した。図２に示した通り、供試昆虫を入れたチューブをガラス管（内径２７ｍｍ、外径２９ｍｍ、長さ１０００ｍｍ）の一方の端に接続し、ガラス管のもう一方の端に、紫色光（４０５ｎｍ）を発するＬＥＤを配置した。紫色光のＬＥＤの光強度は、１０×１０１７photons/m2/sに設定した。ＬＥＤを点灯してから３０分後に、各供試昆虫個体のＬＥＤまでの距離を計測し、１０ｃｍ区間ごとの頭数をパーセンテージで示した（図３）。
【００４５】
その結果、ナミヒメハナカメムシ及びタバコカスミカメのいずれも、点灯開始３０分で供試したうちの約７０％の昆虫がＬＥＤから２０ｃｍ以内に、８０〜９０％の昆虫が３０ｃｍ以内に誘引された。
【産業上の利用可能性】
【００４６】
本発明は、害虫防除を通じて農産物を効果的に保護できる観点から、農業分野において特に有用である。本発明により提供される技術を利用することにより、効果的且つ選択的に天敵生物を誘引する又は定着させることができ、天敵生物が死滅させることのできる害虫を効果的に防除することができる。
【図１】
2020010637.tif 000002
【図２】
2020010637.tif 000003
【図３】
2020010637.tif 000004